(57)【要約】      （修正有）【課題】水中カメラハウジング内に、水中ストロボ用光コンバータを設けることにより、複数の水中ストロボを同時に発光させる。【解決手段】カメラからの発光制御電気信号を水中カメラハウジング内に設けた水中ストロボ用光コンバータにより発光制御光信号に変換し、該発光制御光信号をハウジングの光出射窓を介し照射することにより水中内に位置する複数のストロボ装置を同時発光させる。【選択図】図１
2015087734.tif 000002
【特許請求の範囲】
【請求項１】
少なくともＴＴＬ或いはマニュアルモードを選択する主スイッチで選択されたモードを示すモード選択信号をカメラのホットシュアダプタ経由でカメラに送信する手段と、該カメラから前記ホットシュアダプタ経由で発光素子を発光させる電気信号を受信する手段と、該手段で受信した電気信号と予めマイコンに記憶されているプログラムとに基づいてストロボの発光状態を制御する手段とからなることを特徴とする水中ストロボ用光コンバータ方式である。
【請求項２】
水中ハウジングに内蔵されるカメラのホットシュ展開の空所に第１の態様でなる水中ストロボ用コンバータ方式を電気的及び機構的に結実させて光コンバータ本体とし、該光コンバータ本体を該光コンバータ本体の主スイッチが外部から操作できるように収納し且つ発光素子からの光をハウジング内部からハウジング外部へ透過する光出射窓を備えてなることを特徴とする水中カメラハウジング。
【発明の詳細な説明】
【技術分野】
【０００１】本発明は、ホットシュを装備したカメラからの電気信号を光信号に変換し、該光信号を水中ストロボへ送信する水中ストロボ用光コンバータ方式及び当該水中ストロボ用光コンバータを内蔵する水中カメラハウジングに関する。
【背景技術】
【０００２】水中でのカメラ撮影では、一般的に、カメラの防水性の懸念及び陸上で用いるカメラをそのまま利用する利用面等から当該カメラを防水機能が施された水中カメラハウジングに収納し、該水中カメラハウジングの外周部から内蔵されたカメラを操作して行われる。この様な構造を採用することによって防水性の確保及び収納したカメラの支障の無い操作の確保を得ることができるが、他方、水中での撮影といった状況から撮影に十分な光量が得られず、それ故、水中カメラハウジング内のカメラと電気或いは光ファイバで接続される水中ストロボが機構的及び電気的に用いられている。【０００３】そしてカメラハウジング内のカメラの「発光」、「消光（光が消える、と言う意味）」の機能を外部の水中ストロボに伝達する技術には従来、各種有るが特開２００８−２８６９８２（特許文献１）は、前記カメラのホットシュに対して光ユニットを装備し、その信号をストロボに送ってストロボを発光させるが、発光ユニットにスイッチを有しない為、外部より操作できず又ＴＴＬ調光手段も有していないものである。【０００４】又当該技術はガイドナンバの異なる複数のストロボを夫々光量補正をし、発光させることはできないもので、所謂、単にカメラのシャッタを押したらストロボが発光するというものである。この場合ストロボは発光を持続し光量オーバになってしまう等従来の技術は操作性、光量、使い勝手、機能等種々に改良すべき点が存在する。
【先行技術文献】
【特許文献】
【０００５】
【特許文献１】  特開２００８−２８６９８２号公報
【発明の概要】
【発明が解決しようとする課題】
【０００６】  本発明はカメラのホットシュからの発光信号を受け、予めマイコンに設定して有るテーブルをマイコンが選択して、カメラの必要なガイドナンバの光量を得ることができるようにし、しかも複数の水中ストロボを同時に発光させる事ができる水中ストロボ用光コンバータ方式及び水中カメラハウジングを提供するものである。
【課題を解決するための手段】
【０００７】第１の態様は、少なくともＴＴＬ調光モード或いはマニュアル調光モードを選択する主スイッチで選択されたモードを示すモード選択信号をカメラのホットシュアダプタ経由でカメラに送信する手段と、該カメラから前記ホットシューアダプタ経由で発光素子を発光させる電気信号を受信する手段と、該手段で受信した電気信号と予めマイコンに記憶されているプログラムとに基づいて水中ストロボの発光状態を制御する手段とからなることを特徴とする水中ストロボ用光コンバータ方式である。【０００８】第２の態様は、水中ハウジングに内蔵されるカメラのホットシュ展開の空所に第１の態様でなる水中ストロボ用コンバータ方式を電気的及び機構的に結実させて収納してなることを特徴とする水中カメラハウジングであり、水中カメラハウジングは、カメラの防水性を確保し、発光素子からの光をハウジング内部からハウジング外部へ透過する光出射窓を備え、光コンバータのモードスイッチをハウジング外部から操作するための操作スイッチを備える。
【発明の効果】
【０００９】  本発明によれば、ガイドナンバの異なる複数の水中ストロボを同時に使用でき、しかも水中ストロボの光量を制御できるので常に適正光量で発光可能であるとともに、ＴＴＬ調光も兼備しているので機能が充実するばかりか、それらの回路はカメラのホットシュ用の為の空所に収納するので特別な収納空間を設ける必要も無く、水中ハウジングの全周囲構造が大きくなることも無く、従って従来通りの持ち運びができ、更に光コンバータのモードスイッチをハウジング外部から操作するための操作スイッチを備える等の効果がある。
【図面の簡単な説明】
【００１０】［図１］及至［図６］は本発明の実施形態に係る水中ストロボ用光コンバータ方式及び水中カメラハウジングの一例を示す図で、
【図１】はマイコン等回路図、
【図２】はモード・ストロボ等選択回路図、
【図３】はＬＥＤ出力回路図
【図４】は光コンバータ本体を水中カメラハウジングの空所に装備する際の組合せ図
【図５】光コンバータ本体の斜視図
【図６】水中カメラハウジングの要部取り出し斜視図である。
【発明を実施するための形態】
【００１１】以下、図１乃至図６を参照しながら本発明の一実施形態について説明するが同一箇所、機能及び構成に付いては同一番号を付して説明を省略する。
本一実施形態においての光コンバータは、水中カメラハウジングの内部に水中カメラを格納した場合、カメラのホットシュが位置する箇所にできる空間を利用していて、この空間に収納されるものである。
【００１２】先ず図１は、本実施形態に係る水中ストロボ用光コンバータ方式のマイコン等回路１１０の実体回路図で、図２は図１に接続されるモード・ストロボ等選択表示回路１２０の実体回路図、図３は図１に接続されるＬＥＤ出力回路１３０の実体回路図である。そしてこれ等図１〜図３の夫々の回路は結線され防水ケースである水中カメラハウジングのカメラのホットシュが位置する空間に光コンバータ本体として収納されるものである。
【００１３】前記図１の点線枠取りした１１１は電源制御等回路で、入力側にバッテリが接続されるコネクタ１１１−１を有し、該コネクタ１１１−１にはバッテリが逆入れされた場合に之を防止する電池逆入れ防止回路１１１−２と後述するマイコン等回路１１２のマイコン１１２−１の電源を昇圧するＤＣ／ＤＣコンバータ１１１−３とが各々接続されている。この場合１１１−４はＰ型ＭＯＳＦＥＴで、１１１−５はＮ型ＭＯＳＦＥＴであり、１１１−６は昇圧用のＩＣである。
【００１４】次に点線枠取りした１１３は後述の図３で示すＬＥＤ出力回路１３０用のＬＥＤ用電源回路で、当該ＬＥＤ用電源回路１１３で昇圧しＬＥＤ出力回路１３０の第１ＬＥＤ出力回路１３０−２及び第２ＬＥＤ出力回路１３０−３の各ＬＥＤ１３０−４、ＬＥＤ１３０−５に供給されるように接続構成している。従って当該ＬＥＤ用電源回路１１３は発光用昇圧コンバータの機能を有するＩＣ回路１１３−１を接続構成している。即ち、前記コネクタ１１１−１に接続される電池は通常２本用いられる故に前記ＬＥＤ１３０−４及びＬＥＤ１３０−５を高圧（約５Ｖ程）にして点灯するものである。
【００１５】又点線枠取りした１１４はカメラ信号入力回路で、カメラからの発光に対応する信号がホットシュを介してコネクタ１１４−１に入力し、当該発光信号はマイコン回路等回路１１２に供給される。
【００１６】更に、図２はモード・ストロボ等選択表示回路１２０で該モード・ストロボ等選択表示回路１２０は前記マイコン等回路１１２との信号の授受を行うコネクタ１２０−１に接続されている。加えて、当該モード・ストロボ等選択表示回路１２０は前記コネクタ１２０−１のＶｃｃ端子及びＰＯＷＥＲ  ＯＮ／ＯＦＦ端子に接続した電源スイッチ回路１２０−２を有し、該電源スイッチ回路１２０−２中の電源スイッチＳＷを光コンバータの主電源スイッチとしている。尚前記電源スイッチＳＷは後述するが水中ストロボ（図示せず）に対するマニュアルモードとＴＴＬモードのモード切り替える機能をも有している。
【００１７】前記コネクタ１２０−１には更に第１ストロボ選択回路１２０−３及び第２ストロボ選択回路１２０−４が接続していて、之に各々接続されたストロボ選択スイッチ１２０−５及びストロボ選択スイッチ１２０−６を有している。この場合該ストロボ選択スイッチ１２０−５及びストロボ選択スイッチ１２０−６は撮影者の左側ストロボ（図示せず）及び右側ストロボ（図示せず）に対応するようにされている。
【００１８】又、前記ストロボ選択スイッチ１２０−５及び１２０−６には抵抗回路１２０−７及び１２０−８が接続構成され、当該抵抗回路１２０−７及び１２０−８内の抵抗を選択して前記ストロボ選択スイッチ１２０−５は左側のストロボを選択できるよう、又、ストロボ選択スイッチ１２０−６は右側のストロボを選択できるように回路構成、設定されている。
【００１９】然してコネクタ１２０−１には更にディスプレ回路１２０−９が接続構成され、当該ディスプレ回路１２０−９はマニュアルモード部１２０−１０及びＴＴＬモード部１２０−１１を構成している。勿論これ等も前記コネクタ１２０−１端子に接続されている。
当該マニュアルコード部１２０−１０及びＴＴＬモード部１２０−１１は夫々並列のＬＥＤ１、ＬＥＤ２及びＬＥＤ３、ＬＥＤ４を構成し、表示用の要を成している。
【００２０】この場合マニュアルモード部１２０−１０及びＴＴＬモード部１２０−１１は表示用のＬＥＤであるＬＥＤ１、ＬＥＤ２及びＬＥＤ３、ＬＥＤ４を夫々２個当て使用しているが、ディスプレとしてのＬＥＤ１個使いであると、明るさが足りないので２個当ての回路構成となっている。従って、ＬＥＤの性能が上がって１個でも十分ディスプレとして果たせるなら該ＬＥＤは２個に限らないもので必要に応じ増減できるものである。
【００２１】次に図３に示すＬＥＤ出力回路１３０はコネクタ１３０−１を経由して前記マイコン等回路１１２から信号を受けてＬＥＤ１３０−４及びＬＥＤ１３０−５を信号用として発光させる接続構成をし、抵抗回路１３０−６及び１３０−８、Ｎ型ＭＯＳＦＥＴ１３０−７及びＦＥＴ１３０−９等によって第１ＬＥＤ出力回路１３０−２及び第２出力回路１３０−３を構成している。
【００２２】この場合、第１ＬＥＤ出力回路１３０−２は撮影者から見て左側のストロボに対応し、第２ＬＥＤ出力回路１３０−３は撮影者から見て右側に対応している。又、前記ＬＥＤ１３０−４は図示しないが光ファイバーケーブルに結合され、ＬＥＤ１３０−５も同様に別の図示しない光ファイバーケーブルに結合する。そして、この光ファイバーケーブルの終端にはストロボが結合される訳である。
【００２３】つまり、前記第１ＬＥＤ出力回路１３０−２及び前記第２ＬＥＤ出力回路１３０−３はそれぞれ前記ストロボ選択回路１２０−３及びストロボ選択回路１２０−４に夫々撮影者側から見て左側及び右側と言うように対応していて、これらはマイコン１１２−１によって設定制御されている。
【００２４】尚、前記マイコン１１２−１にはマイコンプログラム書替回路１１５が接続され、該マイコンプログラム書替回路１１５はマイコン１１２−１のプログラムを書き換える信号が入力されるマイコンプログラム書替用コネクタ１１５−２が接続構成される。
【００２５】次に前記図１、図２、図３について、一連の動作説明をすると、マイコン１１２−１は電源制御回路１１１からの給電により電圧附勢状態に設定される。該附勢状態で前記電源スイッチ回路１２０−２の電源／モード切替スイッチ（主スイッチとも言う。）ＳＷを長押しすると、前記マイコン１２０−１が電源／モード切替スイッチＳＷの長押しを検知する。これによってＬＥＤ用電源回路１１３のＶＬＥＤ端子にＶＬＥＤ電圧が発生する。
【００２６】上記動作によって水中ストロボ光コンバータ方式を構成する各回路即ち電源制御回路１１１、ＬＥＤ用電源回路１１３、カメラ信号入力回路１１４、モード・ストロボ等選択表示回路１２０、プログラム書替・マイコン制御回路１１５、ＬＥＤ出力回路１３０、マイコン等回路１１２が各々動作状態になる。
【００２７】これ等の動作状態のときに、図示しない発光信号がカメラ信号入力回路１１４のコネクタ１１４−１を経由してマイコン１１２−１に供給されると、当該マイコン１１２−１の端子よりコネクタ１３０−１を経由して、ＬＥＤ出力回路１３０のＬＥＤ１３０−４及びＬＥＤ１３０−５を附勢する。
【００２８】従って、ＬＥＤ１３０−４及びＬＥＤ１３０−５は点灯し、光ケーブルによって図示しないストロボ例えば右のストロボ及び左のストロボに同時に光信号が供給され、最終的に左右の両ストロボが点灯される。尚以上の場合、左右のストロボはＴＴＬ調光或いはマニュアル調光に切替できるが、この切替は前記電源／モード切替スイッチＳＷの長押し或いは短押しによって間節的に選択できるようになっている。
【００２９】そして、当該ストロボ選択スイッチ１２０−５で該スイッチに接続の抵抗回路１２０−７及びストロボ選択スイッチ１２０−６で該スイッチに接続の抵抗回路１２０−８の夫々の抵抗を選択することで左側のストロボを及び右側のストロボを選択することになる。
【００３０】結局、ＬＥＤ１及び２はマニュアル調光モードで２個点灯し、ＬＥＤ３及び４はＴＴＬ調光モードで２個点灯することができるものである。この場合、マニュアルモードでＬＥＤを２個用い、ＴＴＬモードでもＬＥＤ３及びＬＥＤ４を２個用いるのは明るさ不足を補うもので夫々ＬＥＤ１個でもよいものである。
【００３１】つまり、前述のＬＥＤ１３０−４及びＬＥＤ１３０−５の発光時間は前記マイコン１１２−１にはデータがテーブルとして格納されていて、このデータテーブルのガイドナンバをコネクタ１１４−１から入力するカメラの発光信号で指定することで必要な時間だけ発光するわけである。
【００３２】そして、上記の様なテーブルは本案の場合、ストロボによって異なり、ストロボ４タイプ種類に対しては４種類のテーブルが用意されている。従って異なる４個のテーブルをユーザは必要に応じて切り替えて使用することができる。
【００３３】次にストロボを消光する場合は、前述のように予めマイコン１１２−１にはガイドナンバに対応した発光持続時間の異なるデータを設定してあるから、この設定したガイドナンバの発光信号がカメラからコネクタ１１１−１を経て入力され、マイコン１１２−１で選択されたテーブルの持続時間後に前記ストロボは消光される。つまり自動的に発光時間の発光持続がされ発光後に消光が行われるのである。
【００３４】そしてストロボを選択することによって自動的に発光持続時間の異なるものが選択されストロボは選択された発光持続を行い後に消光することができるものである。その結線は図３のコネクタ１３０−１のＶｌｅｄ及びトリガストップＲ・トリガストップＬへの入力信号で行っている。尚ＬＥＤ１３０−４及びＬＥＤ１３０−５の光面には光ケーブルが接続されていて、その終端はストロボに結合されていることは勿論である。
【００３５】次に図４、図５及び図６の内、図４は本案光コンバータ本体１５０をハウジング１５０−１に収納組込みする場合の図、第５図は光コンバータ本体１５０を単体で示した斜視図、図６は光コンバータ本体１５０を組み込んだ状態の図である。
而して、図４の光コンバータ本体１５０は前記マイコン等回路１１０及び調光モード・ストロボ等選択表示回路１２０並びにＬＥＤ出力回路１３０を内蔵し、これ等を内部で前述したごとく結線されている。
【００３６】前記図５の光コンバータ本体１５０には前記したマイコン等回路１１０及び調光モード・ストロボ等選択表示回路１２０並びにＬＥＤ出力回路１３０が結線されて、内蔵され、前記のＬＥＤ１３０−４及びＬＥＤ１３０−５が配置されていて、このＬＥＤ１３０−４及び１３０−５の先はストロボに繋がる光ファイバーケーブルの端部が結合できる構造を採用している。
【００３７】又光コンバータ本体１５０の前記ＬＥＤ１３０−４及びＬＥＤ１３０−５を設けた反対側には光コンバータ本体１５０の電源スイッチＳＷの操作部１５０−２が覗いていて撮影者が操作できるようにしてある。そして、この電源スイッチＳＷは水中カメラハウジング１５０−１を全て組み立てた際に、撮影者が外部から操作できるように完成したハウジングの外部に液密構造で露出している。図４、図６はカメラを収納する防水構造のハウジング１５０−１の一部を示し、撮影者側からの図として切り欠いて示していて、前記ＬＥＤ−４、ＬＥＤ１３０−５側は更にディスプレとしての要をなしている。
【００３８】そして、この場合、ハウジング１５０−１にはカメラのホットシュ展開時の空所１５０−３があるので、この空所１５０−３を利用して光コンバータ本体１５０をここに収納するわけである。この収納の場合、図示に示す矢示方向Ａから前記空所１５０−３に収納取り付けてもいいが、又、空所１５０−３の下側から挿入取付配置してもよいもので、取付手段は種々工夫ができる事勿論である。又本発明はその要旨を逸脱しない範囲で種々応用が可能であること勿論である。
【産業上の利用可能性】
【００３９】本発明はカメラのホットシュからのカメラの発光信号を受け、予めマイコンに設定して有るテーブルをマイコンが選択するので、撮影者は時々カメラの必要なガイドナンバーのストロボの光量を得ることができるもので、良好な撮影が実現できる効果が有る、又、複数の水中ストロボを同時に発光させる利用ができる。又本方式は水中カメラハウジングのカメラのホットシュ用の為の空所に収納するので特別な収納空間を設ける必要も無く、水中ハウジングの全周囲構造が大きくなることも無い。従って従来通りの持ち運びができ、更に光コンバータのモードスイッチをハウジング外部から操作するための操作スイッチを備える等産業上の利用が大な水中ストロボ用光コンバータ方式及び水中カメラハウジングを提供できるものである。
【符号の説明】
【００４０】１１０            マイコン等回路
１１１            電源制御回路
１１１−１        コネクタ
１１１−２        電池逆入れ防止回路
１１１−３        ＤＣ／ＤＣコンバータ
１１１−４        ＭＯＳ型ＦＥＴ
１１１−５        ＭＯＳ型ＦＥＴ
１１１−６        ＩＣ
１１２            マイコン等回路
１１２−１        マイコン
１１３            ＬＥＤ用電源回路
１１３−１        ＩＣ回路
１１４            カメラ信号入力回路
１１４−１        コネクタ
１１４−２        ＭＯＳ型ＦＥＴ
１１４−３        ＭＯＳ型ＦＥＴ
１１４−４        逆流防止回路
１１５            マイコンプログラム書替、マイコン制御回路
１１５−１        リセットＩＣ回路
１１５−２        コネクタ
１２０            調光モード・ストロボ等選択表示回路
１２０−１        コネクタ
１２０−２        電源スイッチ回路
ＳＷ              主スイッチ
１２０−３        第１ストロボ選択回路
１２０−４        第２ストロボ選択回路
１２０−５        第１ストロボ選択スイッチ
１２０−６        第２ストロボ選択スイッチ
１２０−７        抵抗回路
１２０−８        抵抗回路
１２０−９        マニュアル調光モード部表示回路
１２０−１０      ＴＴＬ調光モード表示回路
ＬＥＤ１          ＬＥＤ
ＬＥＤ２          ＬＥＤ
ＬＥＤ３          ＬＥＤ
ＬＥＤ４          ＬＥＤ
１３０            ＬＥＤ出力回路
１３０−１        コネクタ
１３０−２        第１ＬＥＤ出力回路
１３０−３        第２ＬＥＤ出力回路
１３０−４        ＬＥＤ
１３０−５        ＬＥＤ
１３０−６        抵抗回路
１３０−７        ＭＯＳ型ＦＥＴ
１３０−８        抵抗回路
１３０−９        ＭＯＳ型ＦＥＴ
１５０            光コンバータ本体
１５０−１        ハウジング
１５０−２        操作部
１５０−３        空所
【図１】
2015087734.tif 000003
【図２】
2015087734.tif 000004
【図３】
2015087734.tif 000005
【図４】
2015087734.tif 000006
【図６】
2015087734.tif 000007
【図５】
2015087734.tif 000008